(57)【特許請求の範囲】
【請求項１】
浴槽中の水をポンプにより循環路にて循環させ、該循環路中に設けられた圧力センサの出力値により浴槽の水位を検知するようにした浴槽の水位検知方法において、
循環前あるいは循環後における圧力センサの出力値と循環中における圧力センサの出力値との出力差が、エアを循環路に引き込まない適正な検知状態での予め検知しておいた前記両出力値の出力差に対し誤差範囲内にあるか否かにより、エアを循環路に引き込まない適正な検知状態であるか否かを判別し、エアを循環路に引き込まない水位まで給湯した適正な検知状態にすることを特徴とする浴槽の水位検知方法。
【請求項２】
浴槽中の水をポンプにより循環路にて循環させ、該循環路中に設けられた圧力センサの出力値により浴槽の水位を検知するようにした浴槽の水位検知方法において、
循環中における圧力センサの出力値の振れ幅が基準値以下であるか否かを判別し、エアを循環路に引き込まない適正な検知状態であるか否かを判別し、エアを循環路に引き込まない水位まで給湯した適正な検知状態にすることを特徴とする浴槽の水位検知方法。
【請求項３】
浴槽中の水をポンプにより循環路にて循環させ、該循環路中に設けられた圧力センサの出力値により浴槽の水位を検知するようにした浴槽の水位検知方法において、
循環開始前における圧力センサの出力値と循環終了後における圧力センサの出力値との出力差が誤差範囲内にあるか否かで、エアを循環路に引き込まない適正な検知状態であるか否かを判別し、エアを循環路に引き込まない水位まで給湯した適正な検知状態にすることを特徴とする浴槽の水位検知方法。
【請求項４】
前記エアを循環路に引き込まない適正な検知状態ではない場合に、注湯して水位を上げ、エアを循環路に引き込まない適正な検知状態にした後に、再度、水位を検知するようにしたことを特徴とする請求項１、２および３記載の浴槽の水位検知方法。
【請求項５】
浴槽中の水をポンプにより循環路にて循環させ、該循環路中に設けられた圧力センサの出力値により浴槽の水位を検知するようにした浴槽の水位検知装置において、
循環前あるいは循環後における圧力センサの出力値と循環中における圧力センサの出力値との出力差が、エアを循環路に引き込まない適正な検知状態での予め検知しておいた前記両出力値の出力差に対し誤差範囲内にあるか否かにより、エアを循環路に引き込まない適正な検知状態であるか否かを判別する演算部を備え、エアを循環路に引き込まない水位まで給湯した適正な検知状態にすることを特徴とする浴槽の水位検知装置。
【請求項６】
浴槽中の水をポンプにより循環路にて循環させ、該循環路中に設けられた圧力センサの出力値により浴槽の水位を検知するようにした浴槽の水位検知装置において、
循環中における圧力センサの出力値の振れ幅が基準値以下であるか否かを判別し、エアを循環路に引き込まない適正な検知状態であるか否かを判別する演算部を備え、エアを循環路に引き込まない水位まで給湯した適正な検知状態にすることを特徴とする浴槽の水位検知装置。
【請求項７】
浴槽中の水をポンプにより循環路にて循環させ、該循環路中に設けられた圧力センサの出力値により浴槽の水位を検知するようにした浴槽の水位検知装置において、
循環開始前における圧力センサの出力値と循環終了後における圧力センサの出力値との出力差が誤差範囲内にあるか否かで、エアを循環路に引き込まない適正な検知状態であるか否かを判別する演算部を備え、エアを循環路に引き込まない水位まで給湯した適正な検知状態にすることを特徴とする浴槽の水位検知装置。
【発明の詳細な説明】
【０００１】
【発明の属する技術分野】
本発明は、浴槽中の水を循環路にて循環させ、該循環路中に設けられた圧力センサの出力値により浴槽の水位を検知するようにした浴槽の水位検知方法に関する。
【０００２】
【従来の技術】
従来の浴槽の水位検知方法としては、例えば、浴槽と加熱器とが循環路で接続され、浴槽の水を循環させ、循環路中のエアを排出した後に、循環路中の水圧を圧力センサで検出し、その検出値から浴槽の水位を測定するようにしたものがある。
【０００３】
【発明が解決しようとする課題】
しかしながら、このような従来の浴槽の水位検知方法では、浴槽の側壁に開設された循環路に通じる出入口の高さ位置近傍に水位があると、循環していくと、水面上のエアを出入口を通して循環路に引き込んでしまって、不適正な状態で圧力検出を行なうことになり、却って、正確な水位を測定することができないという問題点があった。
本発明は、このような従来の問題点に着目してなされたもので、水面上のエアを出入口を通して循環路に引き込んだ不適正な状態での圧力検出を判別して、不正確な水位の測定を防止することができる浴槽の水位検知方法を提供することを目的としている。
【０００４】
【課題を解決するための手段】
かかる目的を達成するための本発明の要旨とするところは、次の各項に記載する発明に存する。
１  浴槽（１８）中の水をポンプ（１５）により循環路（１２）にて循環させ、該循環路（１２）中に設けられた圧力センサ（１９）の出力値により浴槽（１８）の水位を検知するようにした浴槽の水位検知方法において、
循環前あるいは循環後における圧力センサ（１９）の出力値と循環中における圧力センサ（１９）の出力値との出力差が、エアを循環路（１２）に引き込まない適正な検知状態での予め検知しておいた前記両出力値の出力差に対し誤差範囲内にあるか否かにより、エアを循環路（１２）に引き込まない適正な検知状態であるか否かを判別し、エアを循環路（１２）に引き込まない水位まで給湯した適正な検知状態にすることを特徴とする浴槽の水位検知方法。
【０００５】
２  浴槽（１８）中の水をポンプ（１５）により循環路（１２）にて循環させ、該循環路（１２）中に設けられた圧力センサ（１９）の出力値により浴槽（１８）の水位を検知するようにした浴槽の水位検知方法において、
循環中における圧力センサ（１９）の出力値の振れ幅が基準値以下であるか否かを判別し、エアを循環路（１２）に引き込まない適正な検知状態であるか否かを判別し、エアを循環路（１２）に引き込まない水位まで給湯した適正な検知状態にすることを特徴とする浴槽の水位検知方法。
【０００６】
３  浴槽（１８）中の水をポンプ（１５）により循環路（１２）にて循環させ、該循環路（１２）中に設けられた圧力センサ（１９）の出力値により浴槽（１８）の水位を検知するようにした浴槽の水位検知方法において、
循環開始前における圧力センサ（１９）の出力値と循環終了後における圧力センサ（１９）の出力値との出力差が誤差範囲内にあるか否かで、エアを循環路（１２）に引き込まない適正な検知状態であるか否かを判別し、エアを循環路（１２）に引き込まない水位まで給湯した適正な検知状態にすることを特徴とする浴槽の水位検知方法。
【０００７】
４  前記エアを循環路（１２）に引き込まない適正な検知状態ではない場合に、注湯して水位を上げ、エアを循環路（１２）に引き込まない適正な検知状態にした後に、再度、水位を検知するようにしたことを特徴とする１、２および３項記載の浴槽の水位検知方法。
【０００８】
５  浴槽（１８）中の水をポンプ（１５）により循環路（１２）にて循環させ、該循環路（１２）中に設けられた圧力センサ（１９）の出力値により浴槽（１８）の水位を検知するようにした浴槽の水位検知装置において、
循環前あるいは循環後における圧力センサ（１９）の出力値と循環中における圧力センサ（１９）の出力値との出力差が、エアを循環路（１２）に引き込まない適正な検知状態での予め検知しておいた前記両出力値の出力差に対し誤差範囲内にあるか否かにより、エアを循環路（１２）に引き込まない適正な検知状態であるか否かを判別する演算部（３３）を備え、エアを循環路（１２）に引き込まない水位まで給湯した適正な検知状態にすることを特徴とする浴槽の水位検知装置。
【０００９】
６  浴槽（１８）中の水をポンプ（１５）により循環路（１２）にて循環させ、該循環路（１２）中に設けられた圧力センサ（１９）の出力値により浴槽（１８）の水位を検知するようにした浴槽の水位検知装置において、
循環中における圧力センサ（１９）の出力値の振れ幅が基準値以下であるか否かを判別し、エアを循環路（１２）に引き込まない適正な検知状態であるか否かを判別する演算部（３３）を備え、エアを循環路（１２）に引き込まない水位まで給湯した適正な検知状態にすることを特徴とする浴槽の水位検知装置。
【００１０】
７  浴槽（１８）中の水をポンプ（１５）により循環路（１２）にて循環させ、該循環路（１２）中に設けられた圧力センサ（１９）の出力値により浴槽（１８）の水位を検知するようにした浴槽の水位検知装置において、
循環開始前における圧力センサ（１９）の出力値と循環終了後における圧力センサ（１９）の出力値との出力差が誤差範囲内にあるか否かで、エアを循環路（１２）に引き込まない適正な検知状態であるか否かを判別する演算部（３３）を備え、エアを循環路（１２）に引き込まない水位まで給湯した適正な検知状態にすることを特徴とする浴槽の水位検知装置。
【００１１】
次に、前記各項に記載された発明の作用について説明する。
請求項１記載の浴槽の水位検知方法では、
循環前における圧力センサ（１９）の出力値を求めておく。
次に、例えば、ポンプを作動して浴槽（１８）中の水を循環路（１２）にて循環させ、循環中における圧力センサ（１９）の出力値を求める。
次に、循環前における圧力センサ（１９）の出力値と循環中における圧力センサ（１９）の出力値との出力差を算出するとともに、算出した出力差と、エアを循環路（１２）に引き込まない適正な検知状態での予め検知しておいた前記両出力値の出力差とを比較する。
【００１２】
比較した結果、両方の圧力差が測定誤差範囲内であれば、循環中における圧力センサ（１９）の出力値が適正な検知状態における出力値であると判別して、その出力値から水位を算出することができる。
一方、比較した結果、両方の圧力差が測定誤差範囲外であれば、循環中における圧力センサ（１９）の出力値が不適正な検知状態における出力値であると判別し、その出力値に基づく水位の算出値は、不正確なものとして対処することができる。
循環前における圧力センサ（１９）の出力値と循環中における圧力センサ（１９）の出力値との出力差を算出したが、循環後における圧力センサ（１９）の出力値と循環中における圧力センサ（１９）の出力値との出力差を算出してもよい。
【００１３】
請求項２記載の浴槽の水位検知方法では、
循環中における圧力センサ（１９）の出力値の振れ幅から、エアを循環路（１２）に引き込まない適正な検知状態であるか否かを判別するようにしたので、その振れ幅が、例えば、適正な検知状態において予め検知される比較的小さい振れ幅であれば、循環中における圧力センサ（１９）の出力値が適正な検知状態における出力値であると判別して、その出力値から水位を算出することができる。
【００１４】
一方、その振れ幅が、適正な検知状態において予め検知される振れ幅より例えば大きければ、循環中における圧力センサ（１９）の出力値が不適正な検知状態における出力値であると判別し、その出力値に基づく水位の算出値は、不正確なものとして対処することができる。
【００１５】
請求項３記載の浴槽の水位検知方法では、
循環開始前における圧力センサ（１９）の出力値と循環終了後における圧力センサ（１９）の出力値との出力差から、エアを循環路（１２）に引き込まない適正な検知状態であるか否かを判別するようにしたので、その出力差が、例えば、適正な検知状態において予め検知される比較的小さい差であれば、循環中における圧力センサ（１９）の出力値が適正な検知状態における出力値であると判別して、その出力値から水位を算出することができる。
一方、その出力差が、適正な検知状態において予め検知される出力差より例えば大きければ、循環中における圧力センサ（１９）の出力値が不適正な検知状態における出力値であると判別し、その出力値に基づく水位の算出値は、不正確なものとして対処することができる。
【００１６】
請求項４記載の浴槽の水位検知方法では、
前記エアを循環路（１２）に引き込まない適正な検知状態ではない場合に、注湯して水位を上げ、エアを循環路（１２）に引き込まない適正な検知状態にした後に、再度、水位を検知するようにしたので、適正な検知状態における圧力検知がなくなり、圧力センサ（１９）の出力値から水位を正確に算出することができる。
【００１７】
請求項５記載の浴槽の水位検知装置では、
演算部（３３）が、循環前における圧力センサ（１９）の出力値と循環中における圧力センサ（１９）の出力値との出力差を算出するとともに、算出した出力差と、エアを循環路（１２）に引き込まない適正な検知状態での予め検知しておいた前記両出力値の出力差とを比較する。
比較した結果、両方の圧力差が測定誤差範囲内であれば、循環中における圧力センサ（１９）の出力値が適正な検知状態における出力値であると判別して、その出力値から水位を算出することができる。
【００１８】
一方、比較した結果、両方の圧力差が測定誤差範囲外であれば、循環中における圧力センサ（１９）の出力値が不適正な検知状態における出力値であると判別し、その出力値に基づく水位の算出値は、不正確なものとして対処することができる。
循環前における圧力センサ（１９）の出力値と循環中における圧力センサ（１９）の出力値との出力差を算出したが、循環後における圧力センサ（１９）の出力値と循環中における圧力センサ（１９）の出力値との出力差を算出してもよい。
【００１９】
請求項６記載の浴槽の水位検知装置では、
演算部（３３）が、循環中における圧力センサ（１９）の出力値の振れ幅から、エアを循環路（１２）に引き込まない適正な検知状態であるか否かを判別するようにしたので、その振れ幅が、例えば、適正な検知状態において予め検知される比較的小さい振れ幅であれば、循環中における圧力センサ（１９）の出力値が適正な検知状態における出力値であると判別して、その出力値から水位を算出することができる。
一方、その振れ幅が、適正な検知状態において予め検知される振れ幅より例えば大きければ、循環中における圧力センサ（１９）の出力値が不適正な検知状態における出力値であると判別し、その出力値に基づく水位の算出値は、不正確なものとして対処することができる。
【００２０】
請求項７記載の浴槽の水位検知装置では、
演算部（３３）が、循環開始前における圧力センサ（１９）の出力値と循環終了後における圧力センサ（１９）の出力値との出力差から、エアを循環路（１２）に引き込まない適正な検知状態であるか否かを判別するようにしたので、その出力差が、例えば、適正な検知状態において予め検知される比較的小さい差であれば、循環中における圧力センサ（１９）の出力値が適正な検知状態における出力値であると判別して、その出力値から水位を算出することができる。
一方、その出力差が、適正な検知状態において予め検知される出力差より例えば大きければ、循環中における圧力センサ（１９）の出力値が不適正な検知状態における出力値であると判別し、その出力値に基づく水位の算出値は、不正確なものとして対処することができる。
【００２１】
【発明の実施の形態】
以下、図面に基づき本発明の一実施の形態を説明する。
各図は本発明の一実施の形態を示している。
図２に示すように、本発明は風呂釜１０に適用されており、風呂釜１０は、浴槽１８、浴槽１８内の水を循環するための循環路である追焚用の循環管路１２および加熱器とから成り、循環管路１２は、戻り管１２ａが循環ポンプ１５を介して往き管１２ｂに接続されて成り、加熱器は、追焚用のバーナ１３および追焚用の熱交換器１４から成る。
【００２２】
追焚用のバーナ１３には、ガス弁１３ａを介してガス供給管が接続され、戻り管１２ａには、サーミスタ１６、通水を検知して検知信号を出力する流水センサ１７が設けられている。
前記加熱器には、注湯湯張り運転可能な給湯器が併設されている。給湯器用の熱交換器２５の入口側には給水管２１が接続され、給水管２１が水道などの水供給源に接続され、給水管２１には、流量センサ２０が介設されている。給湯器用の熱交換器２５の出口側には給湯管２２が接続され、給湯管２２は台所などの所望の給湯場所に延設されている。
【００２３】
給湯管２２には湯張り用管２６が分岐され、湯張り用管２６には注湯制御弁としての注湯電磁弁２４と、湯張りの流量を検出する流量検出センサ２９と、浴槽水位を検出する水位検出センサとしての圧力センサ２３とが設けられている。湯張り用管２６の先端部が、循環管路１２における熱交換器１４の入口側に接続されている。これにより、追焚運転と注湯湯張り運転とが可能になっている。また、給湯器用の熱交換器２５の下方には給湯用のバーナ湯張り用管２５ａが配設され、給水管２１には入水温度センサ２７が設けられ、給湯管２２には出湯温度センサ２８が設けられている。
【００２４】
図１に示すように、圧力センサ２３の出力信号は、ＡＤ変換されて、記憶部３４に書き込まれ、演算部３３に読み込まれて演算処理された後に、判断部３０のバッファである基準出力値メモリ３１および実出力値メモリ３２に書き込まれる。基準出力値メモリ３１への書き込みは、予め浴槽１８の水位を所定の適切な状態にして循環ポンプ１５を作動し循環管路１２中のエアが排出され、かつ、新たなエアを循環管路１２に引き込まない適正な状態において行なわれる。このとき、基準出力値メモリ３１のメモリ内容としては、循環前における圧力センサ２３の出力値と循環中における圧力センサ２３の出力値との出力差、循環中における圧力センサ２３の出力値の振れ幅、並びに、循環開始前における圧力センサ２３の出力値と循環終了後における圧力センサ２３の出力値との出力差の情報が相当している。
【００２５】
実出力値メモリ３２への書き込みは、稼動中での実際の水位実測において行なわれる。このとき、実出力値メモリ３２のメモリ内容としては、同じように、循環前における圧力センサ２３の出力値と循環中における圧力センサ２３の出力値との出力差、循環中における圧力センサ２３の出力値の振れ幅、並びに、循環開始前における圧力センサ２３の出力値と循環終了後における圧力センサ２３の出力値との出力差の情報が相当している。基準出力値メモリ３１および実出力値メモリ３２の各メモリ領域は、判断部３０に特別に設けることなく、記憶部３４に設けるようにしてもよい。
【００２６】
図３（ａ）および（ｂ）に示すように、実験により次のことが観察される。すなわち、浴槽１８の水位が、循環管路１２の出入口近傍にあって、循環中にエアを循環管路１２に引き込む、図３（ｂ）に示す不適正な圧力検知状態において、循環前における圧力センサ２３の出力値と循環中における圧力センサ２３の出力値との出力差は、図３（ａ）に示す適正な圧力検知状態における出力差より小さい。また、図３（ｂ）に示す不適正な圧力検知状態において、循環中における圧力センサ２３の出力値の振れ幅（最大値ＰMAX −最小値ＰMIN ）は、図３（ａ）に示す適正な圧力検知状態における圧力値の振れ幅より大きい。さらに、図３（ｂ）に示す不適正な圧力検知状態において、循環開始前における圧力センサ２３の出力値と循環終了後における圧力センサ２３の出力値との出力差は、図３（ａ）に示す適正な圧力検知状態における出力差（適正な場合の出力差は０にほぼ等しい）より大きい。適正な圧力検知状態における出力差出力差などの大小の程度も実験により求められている。
【００２７】
記憶部３４には、遠隔操作可能なコントロールパネル４０が接続され、コントロールパネル４０には、運転スイッチ、追焚操作スイッチおよび湯温表示部が配設されている。記憶部３４には、浴槽１８の水位制御プログラムおよび追焚制御プログラムが記録されている。
水位制御プログラムにおいては、記憶部３４が、始動信号を駆動回路３５に出力し、駆動回路３５によって循環ポンプ１５が通電し、循環ポンプ１５が始動して、循環管路１２に浴槽１８内の水が循環するようになる。循環管路１２に浴槽１８内の水が循環するようになると、圧力センサ２３はこの循環中の動圧である出力値を記憶部３４に出力する。
【００２８】
一方、記憶部３４が始動信号を出力する前、すなわち、循環開始前においては、圧力センサ２３からの循環前の静圧である出力値は記憶部３４に定期的に書き込まれている。記憶部３４に循環中の出力値が書き込まれると、循環中の出力値の所定個が演算部３３に読み出され、演算部３３は、所定個の出力値における出力値の振れ幅を算出し、算出した振れ幅を実出力値メモリ３２に書き込む。また、記憶部３４に循環中の出力値が書き込まれると、その循環中の出力値と循環前の出力値とが演算部３３に読み出され、演算部３３は、循環前の出力値と循環中の出力値との圧力差を算出し、算出した圧力差を実出力値メモリ３２に書き込む。さらに、記憶部３４に循環終了後の出力値が書き込まれると、演算部３３は、循環開始前の出力値と循環終了後の出力値との出力差を実出力値メモリ３２に書き込む。
【００２９】
演算部３３は、水位制御プログラムに従い、実出力値メモリ３２の各情報と、その各情報に対応する基準出力値メモリ３１の各情報とを読み出して、両者を比較して、比較結果の情報を記憶部３４に出力するものである。前記両者の比較としては、記憶部３４は、前記比較結果の情報として不適正な圧力検知状態であるとの判別情報が書き込まれると、駆動回路３５に弁駆動信号を出力し、駆動回路３５によって注湯弁用のアクチュエータ３６が通電し、それにより、注湯弁２４が開いて、給水管２１を介して循環管路１２へ給湯器側の湯水が流れ、循環管路１２の往き管１２ｂを通って、浴槽１８内に湯水（約１０リットル）が注がれ、その分浴槽１８の水位が高くなり、浴槽１８の水位が高くなることで、適正な圧力検知状態となる。
【００３０】
一方、前記比較結果の情報として適正な圧力検知状態であるとの判別情報が記憶部３４に書き込まれると、駆動回路３５に弁駆動信号が出力されないで、注湯弁２４は閉じたままであり、浴槽１８への注湯はなされずに、圧力センサ２３の出力値に基づき浴槽１８の正確な水位が算出され、正確な水位が算出されると、記憶部３４は、駆動回路３５にガス弁制御信号を出力し、駆動回路３５によってガス弁用のアクチュエータが通電して、ガス弁用のアクチュエータが作動し、ガス弁１３ａが開いて、追焚用のバーナ１３が点火し、燃焼が開始され、追焚運転がなされる。
【００３１】
次に作用を説明する。
図４および図５に示すフローチャートに基づき本実施の態様の作用を説明する。
図４のステップ１０１で、コントロールパネル４０の自動湯張りスイッチをオンすると、記憶部３４内の湯張りプログラムが開始され、ステップ１０２で、最初にＡリットル（４０リットル）の呼び水が浴槽１８に落し込まれ、次に、ステップ１０３で、循環ポンプ１５を短時間作動させたときに、ステップ１０４で、流水センサ１７がオフであるか否かを判別する。なお、流水センサ１７がオフでないときには、ステップ１２３で記憶エラー報知を行なう。
【００３２】
次に、ステップ１０５で、単位水量のＢリットル（１０リットル）の湯水が断続的に落し込まれていき、この単位水量の湯水が落し込まれるごとに、ステップ１０６で、循環ポンプ１５の短時間の作動が行なわれて、ステップ１０７で、流水センサ１７がオンであるか否かが判断され、循環管路１２の湯水の循環が最初に検出されたことを確認する浴槽湯水確認動作を行なう。
流水センサ１７がオンである場合には、ステップ１２５で、圧力センサ２３が所定個数の出力値を記憶部３４に出力する。記憶部３４に所定個数の出力値が書き込まれると、演算部３３は、その所定個数の出力値の中から、最大値ＰMAX と最小値ＰMIN を算出し、最大値ＰMAX から最小値ＰMIN を減算し、減算値を実出力値メモリ３２に記録する。
【００３３】
次に、ステップ１２６で、実出力値メモリ３２に記録された減算値が、基準出力値メモリ３１に記録されている基準値以下であるか否かを判別する。
このとき、浴槽１８の水位が戻り管１２ａの戻り口近傍であると、循環ポンプ１５を作動したとき、循環管路１２内に空気が取り込まれて浴槽１８の湯水が循環するおそれがあり、空気が取り込まれると圧力センサ２３の出力値が基準値以上に大幅に振れて、水位検出に誤差が生じるので、実出力値メモリ３２に記録された減算値が、基準出力値メモリ３１に記録されている基準値以上となり、循環管路１２に空気が取り込まれない水位となるように、浴槽１８の湯水確認動作の後に、さらに、初期基準水量として定められたＣリットル（約１０リットル）の湯水をステップ１０８で注湯し、このときの水位を基準水位として設定し、この基準水位の圧力をステップ１０９で、圧力センサ２３により検出している。
【００３４】
このＣリットルの値は、浴槽湯水確認動作の後に基準水位まで給湯する注湯量（初期基準水量）として定められ、初期基準水量格納部としての初期基準水量データメモリに格納されているものである。
一方、ステップ１２６で、実出力値メモリ３２に記録された減算値が、基準出力値メモリ３１に記録されている基準値以下であれば、ステップ１０９で、このときの水位を基準水位と設定する。
【００３５】
次に、ステップ１１０では、水量Ｄリットル（３０リットル）の湯水の給湯が行なわれ、ステップ１１１で、このときの水位を圧力の値ＰＢとして、圧力センサ２３により検出する。そして、ステップ１１２で、圧力差△Ｐ＝ＰｂーＰａを求め、ステップ１１３で、この圧力差△ＰがＸｃｍ以上か否かを判断する。このＸの値は、ステップ１１０で、Ｄリットルを注湯することにより、上昇する水位差の予想量に基づいて設定される値であり、０よりも大きい適宜の値が設定される。
【００３６】
圧力差△ＰがＸｃｍ未満のときには、ステップ１２４で、エラー報知がなされ、圧力差△ＰがＸｃｍ以上の時にはステップ１１４に進む。そして、ステップ１１４で、前記Ｄリットルを圧力差Ｐｂ−Ｐａの値で割ることにより、浴槽１８の開口面積Ｓを計算により求める。なお、ステップ１０１からステップ１１４までの動作により作成された湯張りの条件データは記憶部３４に記憶されている。
【００３７】
次に、ステップ１１６で、このときの水位が、リモコン４５等によって予め指定された設定水位に達したか否かを判断し、ステップ１１７およびステップ１１８の動作により、浴槽水位が設定水位に達するまで注湯を行ない、設定水位に達したときには、ステップ１１９に進む。そして、ステップ１１９で、注湯電磁弁２４が閉じられている状態で循環ポンプ１５を駆動させ、ステップ１２０で、コントロールパネル４０で指定された設定温度に風呂温度が達すると判断されるまで、ステップ１２１による追焚動作を行ない、風呂温度が設定温度になったときにはステップ１２２で沸きあげてブザーを鳴らす。
【００３８】
なお、実行モードでの動作は、記憶モードの動作時に記憶した条件データに基づいて、まず、循環ポンプ１５を短時間だけ駆動させたときに、流水センサ１７がオンとなるか否かを判断し、流水センサ１７が最初にオンとなることが確認されたときに、前記初期基準水量としてのＣリットルの注湯を行なうことにより、、前記基準水位までの注湯を行なう。そして、この基準水位から指定された設定水位までの注湯両を、例えば、前記開口面積ＳＸ（設定水位−検出水位）の演算によって求めて、求めた注湯量の注湯を行なうことにより、設定水位までの注湯を行なう。
【００３９】
前記実施の形態においては、ステップ１２６で、実出力値メモリ３２に記録された減算値が、基準出力値メモリ３１に記録されている基準値以下であるか否かを判別するものを示したが、循環前における圧力センサ２３の出力値と循環中における圧力センサ２３の出力値との出力差、および、エアを浴槽１８に引き込まない適正な検知状態での予め検知しておいた前記両出力値の出力差から、その出力差に対する基準値と比較して、適正な検知状態であるか否かを判別するようにしてもよく、また、循環開始前における圧力センサ２３の出力値と循環終了後における圧力センサ２３の出力値との出力差から、その出力値に対する基準値と比較して、エアを循環路に引き込まない適正な検知状態であるか否かを判別してもよい。
【００４０】
【発明の効果】
本発明にかかる浴槽の水位検知方法によれば、水面上のエアを出入口を通して循環路に引き込んだ不適正な状態での圧力検出を判別して、不正確な水位の測定を防止することができる。
【図面の簡単な説明】
【図１】本発明の一実施の形態を示す水位検知装置のブロック図である。
【図２】本発明の一実施の形態を示す風呂釜の概念図である。
【図３】本発明の一実施の形態を示す水位検知装置の実験結果図である。
【図４】本発明の一実施の形態を示す水位検知装置のフローチャートである。
【図５】本発明の一実施の形態を示す水位検知装置のフローチャートである。
【符号の説明】
１０…風呂釜
１２…循環管路
１３…バーナ
１４…熱交換器
１５…ポンプ
１６…サーミスタ
１７…流水センサ
１８…浴槽
２０…流量センサ
２１…給水管
２２…給湯管
２３…圧力センサ
２４…注湯電磁弁
３０…判断部
３１…基準出力値メモリ
３２…実出力値メモリ
３３…演算部
３４…記憶部
３５…駆動回路
３６…注湯弁用のアクチュエータ
４０…コントロールパネル
【図１】
0003811520.tif 000002
【図２】
0003811520.tif 000003
【図３】
0003811520.tif 000004
【図４】
0003811520.tif 000005
【図５】
0003811520.tif 000006